(57)【要約】  本発明は、主発電システム（１２）と、燃料取り扱い及び貯蔵システム（１４）とを備える原子力発電所（１０）に関する。システム（１４）は、マルチパス高温ガス冷却式ペブルベッド原子炉（１６）の球体入口（２２）及び球体出口（２４）に接続される。システム（１４）は、ガスが、システム（１４）から球体入口（２２）及び球体出口（２４）の両方を通って原子炉（１６）に流入し、それにより、原子炉からシステム（１４）内への高温ガスの進入を阻止するように構成される。制限インデクサ（６６、６８）が、原子炉（１６）及びシステム（１４）間の球体の移動を可能にするとともに、発電システム（１２）からシステム（１４）への圧力変動の伝達を減衰させる。【選択図】図１
2009526218.tif 000002
【特許請求の範囲】
【請求項１】
上端部又はその近くに少なくとも１つの球体入口を、また下端部又はその近くに少なくとも１つの球体出口を有するペブルベッド原子炉と、
燃料取り扱い及び貯蔵システムであって、
前記原子炉の前記球体出口に接続された球体入口及び前記原子炉の前記球体入口に接続された球体出口を有する球体流路を画定する球体流路画定手段、及び
前記球体流路の少なくとも一部分に沿ってガスの流れを発生させ、それにより、球体を前記球体流路の前記少なくとも一部分に沿って搬送できるように構成されるとともに、前記球体流路を加圧し、それにより、前記球体流路の前記球体入口での圧力が、前記原子炉の前記球体出口での圧力より高くなり、また、前記球体流路の前記球体出口での圧力が、前記原子炉の前記球体入口での圧力より高くなり、それにより、ガスが前記燃料取り扱い及び貯蔵システムから前記原子炉内へ流れるように構成された球体流路加圧手段
を有する燃料取り扱い及び貯蔵システムと
を備える原子力発電所。
【請求項２】
球体が前記原子炉及び前記燃料取り扱い及び貯蔵システム間を通過できるようにするとともに、前記原子炉の冷却材の圧力変動の前記燃料取り扱い及び貯蔵システムへの伝達を減衰させるように構成された減衰手段を備える、請求項１に記載の原子力発電所。
【請求項３】
前記球体流路加圧手段は、入口及び出口を有するブロワを備え、該ブロワ出口は、ガス入口で前記球体流路に接続され、前記ブロワ入口は、ガス出口で前記球体流路に接続され、前記ガス入口は、前記球体流路の前記球体入口の高さより低い高さに位置付けられ、それにより、前記原子炉から前記球体流路に流入する球体は、重力の影響を受けて前記ガス入口へ移動し、そこで、それらは前記球体流路内を流れるガス流に同伴されて、前記ガス入口から運び去られる、請求項１又は２に記載の原子力発電所。
【請求項４】
前記球体の移動方向を基準にして、前記原子炉の前記球体入口の上流側に位置付けられる上部流量制限インデクサと、前記原子炉の前記球体出口の下流側に位置付けられる底部流量制限インデクサとを備える、請求項３に記載の原子力発電所。
【請求項５】
前記上部流量制限インデクサは、前記球体流路の前記ガス出口及び前記原子炉の前記球体入口間に位置付けられ、前記底部流量制限インデクサは、前記原子炉の前記球体出口及び前記球体流路の前記ガス入口間に位置付けられる、請求項４に記載の原子力発電所。
【請求項６】
前記原子炉に加えて、少なくとも１つのタービン及び少なくとも１つのコンプレッサを直列に有する閉ループ主発電システムと、
ガスを前記主発電システムから前記燃料取り扱い及び貯蔵システムへ送り、それにより、前記燃料取り扱い及び貯蔵システムから前記原子炉内へ流れるガスの補充を行う供給管と
を備える、請求項３乃至５のいずれか１項に記載の原子力発電所。
【請求項７】
前記主発電システムは、前記少なくとも１つのタービン及び前記少なくとも１つのコンプレッサ間に接続される高温又は低圧側と、前記少なくとも１つのコンプレッサ及び前記原子炉のガス又は作動流体入口間に接続される低温又は高圧側を有するレキュペレータを備えており、前記供給管は、前記主発電システムの、前記少なくとも１つのコンプレッサ及び前記レキュペレータの前記低温側間の位置から延びて、前記燃料取り扱い及び貯蔵システムの、前記ガス出口及び前記ブロワの前記入口間に接続される、請求項６に記載の原子力発電所。
【請求項８】
上端部又はその近くに少なくとも１つの球体入口を、また下端部又はその近くに少なくとも１つの球体出口を有するペブルベッド原子炉と、
燃料取り扱い及び貯蔵システムであって、
前記原子炉の前記球体出口に接続された球体入口及び前記原子炉の前記球体入口に接続された球体出口を有する球体流路を画定する球体流路画定手段、及び
球体が前記原子炉及び前記燃料取り扱い及び貯蔵システム間を移動できるようにするとともに、前記原子炉ガスの冷却材の圧力変動の前記燃料取り扱い及び貯蔵システムへの伝達を減衰させるように構成された減衰手段
を有する燃料取り扱い及び貯蔵システムと
を備える原子力発電所。
【請求項９】
前記減衰手段が球体の移動方向を基準にして、前記原子炉の前記球体入口の上流側に位置付けられる上部流量制限インデクサと、前記原子炉の前記球体出口の下流側に位置付けられる底部流量制限インデクサとを備える、請求項８に記載の原子力発電所。
【請求項１０】
球体出口及び球体入口を有するペブルベッド原子炉と、球体を前記原子炉の前記球体出口から前記原子炉の前記球体入口へ運ぶための燃料取り扱い及び貯蔵システムとを備える原子力発電所を操作する方法であって、前記燃料取り扱い及び貯蔵システムを加圧するステップであって、それにより、前記燃料取り扱い及び貯蔵システムから前記原子炉への漏れ流を生じるようにする、加圧するステップを含む方法。
【請求項１１】
前記燃料取り扱い及び貯蔵システムから前記原子炉への前記漏れ流は、前記原子炉の前記球体出口及び前記球体入口の両方を通る、請求項１０に記載の方法。
【請求項１２】
前記原子力発電所は、前記原子炉が一部を形成する閉ループ主発電システムを備えており、前記方法は、前記主発電システムから前記燃料取り扱い及び貯蔵システム内へガスを送ることであって、それにより、前記燃料取り扱い及び貯蔵システムから前記原子炉内へ漏れるガスの補充を行う、送ることを含む、請求項１１に記載の方法。
【請求項１３】
前記ガスは、前記主発電システムの、前記主発電システム内の前記ガスが最高圧力である位置から送られる、請求項１２に記載の方法。
【発明の詳細な説明】
【技術分野】
【０００１】
本発明は、原子力に関する。特に、本発明は原子力発電所に関する。それはさらに、原子力発電所を操作する方法に関する。
【背景技術】
【０００２】
高温ガス冷却式の原子炉では、燃料要素が、多くの場合に減速材要素とともに使用され、これらは形状が球である。これらは「ペブル」と呼ばれ、この形式の原子炉は一般的に、ペブルベッド原子炉として知られる。ペブルベッド原子炉では、燃料の燃焼を最適化するために、燃料球体が原子炉の炉心を複数回、通過するマルチパス燃料装荷方式を働かせることが既知である。他の燃料装荷方式と比べて、マルチパス燃料装荷方式は、炉心内の燃焼をより均一に分布させると信じられており、それにより、軸方向中性子束プロフィールを平坦化し、炉心の熱出力を最大化する。燃料球体は、該当する場合には減速材球体とともに、部分的に重力によるが、主にガス流を使用して、球体流路で原子炉又は貯蔵容器内の入口へ運ばれる。
【０００３】
本発明は、特に燃料球体での用途に供されるが、上述したように、減速材球体での用途にも供されるであろう。本明細書の脈絡において、「球体」という用語は、燃料球体と、適当ならば減速材球体の両方を含むように十分に広いと見なされるであろう。
【０００４】
球体は、原子炉内へ、その上部又はその近傍の１つ又は複数の球体入口を通して供給され、そこから、それらは炉心内のベッドの上面、すなわち球体上に落下する。球体は、原子炉容器の底部又はその近傍から１つ又は複数の球体出口を通して引き出される。
【０００５】
球体は、燃料取り扱い及び貯蔵システムにより、球体出口又はその各々と球体入口又はその各々との間を搬送される。燃料取り扱い及び貯蔵システムは特に、球体出口及び球体入口を連通状態に接続するパイプ網と、パイプ網を通るガス流が球体を同伴して、球体がパイプ内を運搬されることができるようにするブロワとを備える。この形式の燃料取り扱い及び貯蔵システムの一例が、本出願人の先行出願である米国特許出願第２００３／０２２７９９４号（特許文献１）に記載されており、それは参照によって本明細書に援用される。
【０００６】
熱力学的サイクルとして閉ループブレイトンサイクルを使用する発電所では、一般的にヘリウムである原子炉冷却材も、作動流体として使用される。主発電システムの電力出力を制御するために、主発電システム内の作動流体の質量を変化させることができる。これは、１つ又は複数のヘリウム貯蔵タンクを含むヘリウム残留量制御システムを使用することによって達成され、ヘリウム貯蔵タンクは、主発電システムに流体連通状態に接続可能であり、それにより、主発電システム内で発生する電力を増加させるために、ヘリウムを主発電システム内へ導入する、又は主発電システムで発生する電力を減少させるために、ヘリウムを主発電システムから取り除くことができる。この構造は、結果的に急速な圧力変動を生じる。急速な圧力変動は、たとえばタービントリップ又は故障の結果としての主発電システムの故障動作中にも発生し得る。
【特許文献１】米国特許出願第２００３／０２２７９９４号
【発明の開示】
【発明が解決しようとする課題】
【０００７】
冷却ガスは、燃料取り扱い及び貯蔵システム内の搬送媒体としても使用される。さらに、球体を原子炉出口から原子炉入口へ搬送できるようにするために、燃料取り扱い及び貯蔵システムは原子炉に接続されなければならないが、燃料取り扱い及び貯蔵システムの部品を主発電システムの高温及び圧力変動に晒すことは望ましくない。
【課題を解決するための手段】
【０００８】
本発明の一態様によれば、
上端部又はその近くに少なくとも１つの球体入口を、また下端部又はその近くに少なくとも１つの球体出口を有するペブルベッド原子炉と、
燃料取り扱い及び貯蔵システムであって、
原子炉の球体出口に接続された球体入口及び原子炉の球体入口に接続された球体出口を有する球体流路を画定する球体流路画定手段、及び
球体流路の少なくとも一部分に沿ってガスの流れを発生させ、それにより、球体を球体流路の少なくとも一部分に沿って搬送できるように構成されるとともに、球体流路を加圧し、それにより、球体流路の球体入口での圧力が、原子炉の球体出口での圧力より高くなり、また、球体流路の球体出口での圧力が、原子炉の球体入口での圧力より高くなり、それにより、ガスが燃料取り扱い及び貯蔵システムから原子炉内へ流れるように構成された球体流路加圧手段
を有する燃料取り扱い及び貯蔵システムと
を備える原子力発電所が提供される。
【０００９】
この構成の結果、燃料取り扱い及び貯蔵システムから原子炉へのガス漏れ流が生じ、それにより、原子炉から燃料取り扱い及び貯蔵システム内への高温ガスの進入が防止される。
【００１０】
本発電所は、球体が原子炉及び燃料取り扱い及び貯蔵システム間を通過できるようにするとともに、原子炉の冷却材の圧力変動の燃料取り扱い及び貯蔵システムへの伝達を減衰させるように構成された減衰手段を備えてもよい。
【００１１】
球体流路加圧手段は、入口及び出口を有するブロワを備えてもよく、ブロワ出口は、ガス入口で球体流路に接続され、ブロワ入口は、ガス出口で球体流路に接続され、ガス入口は、球体流路の球体入口の高さより低い高さに位置付けられ、それにより、原子炉から球体流路に流入する球体は、重力の影響を受けてガス入口へ移動し、そこで、それらは球体流路内を流れるガス流に同伴されて、ガス入口から運び去られる。
【００１２】
発電所は、球体の移動方向を基準にして、原子炉の球体入口の上流側に位置付けられる上部流量制限インデクサと、原子炉の球体出口の下流側に位置付けられる底部流量制限インデクサとを備える。流量制限インデクサは、減衰手段として機能する。
【００１３】
上部流量制限インデクサは、球体流路のガス出口及び原子炉の球体入口間に位置付けられてもよく、底部流量制限インデクサは、原子炉の球体出口及び球体流路のガス入口間に位置付けられてもよい。
【００１４】
発電所は、
原子炉に加えて、少なくとも１つのタービン及び少なくとも１つのコンプレッサを直列に有する閉ループ主発電システムと、
ガスを主発電システムから燃料取り扱い及び貯蔵システムへ送り、それにより、燃料取り扱い及び貯蔵システムから原子炉内へ流れるガスの補充を行う供給管と
を備えてもよい。
【００１５】
主発電システムは、少なくとも１つのタービン及び少なくとも１つのコンプレッサ間に接続される高温又は低圧側と、少なくとも１つのコンプレッサ及び原子炉のガス又は作動流体入口間に接続される低温又は高圧側を有するレキュペレータをさらに備えてもよく、供給管は、主発電システムの、少なくとも１つのコンプレッサ及びレキュペレータの低温側間の位置から延びて、燃料取り扱い及び貯蔵システムの、ガス出口及びブロワの入口間に接続される。
【００１６】
本発明の別の態様によれば、
上端部又はその近くに少なくとも１つの球体入口を、また下端部又はその近くに少なくとも１つの球体出口を有するペブルベッド原子炉と、
燃料取り扱い及び貯蔵システムであって、
原子炉の球体出口に接続された球体入口及び原子炉の球体入口に接続された球体出口を有する球体流路を画定する球体流路画定手段、及び
球体が原子炉及び燃料取り扱い及び貯蔵システム間を移動できるようにするとともに、原子炉ガスの冷却材の圧力変動の燃料取り扱い及び貯蔵システムへの伝達を減衰させるように構成された減衰手段
を有する燃料取り扱い及び貯蔵システムと
を備える原子力発電所が提供される。
【００１７】
減衰手段は、球体の移動方向を基準にして、原子炉の球体入口の上流側に位置付けられる上部流量制限インデクサと、原子炉の球体出口の下流側に位置付けられる底部流量制限インデクサとを備えてもよい。
【００１８】
本発明のさらに別の態様によれば、球体出口及び球体入口を有するペブルベッド原子炉と、球体を原子炉の球体出口から原子炉の球体入口へ運ぶための燃料取り扱い及び貯蔵システムとを備える原子力発電所を操作する方法であって、燃料取り扱い及び貯蔵システムを加圧するステップであって、それにより、燃料取り扱い及び貯蔵システムから原子炉への漏れ流を生じるようにする、加圧するステップを含む方法が提供される。
【００１９】
燃料取り扱い及び貯蔵システムから原子炉への漏れ流は、原子炉の球体出口及び球体入口の両方を通ってもよい。
【００２０】
原子力発電所は、原子炉が一部を形成する閉ループ主発電システムを備えてもよく、また、方法は、主発電システムから燃料取り扱い及び貯蔵システム内へガスを送ることであって、それにより、燃料取り扱い及び貯蔵システムから原子炉内へ漏れるガスの補充を行うようにする、送ることを含むことができる。ガスは、主発電システムの、主発電システム内のガスが最高圧力である位置から送られてもよい。
【発明を実施するための最良の形態】
【００２１】
次に、本発明による原子力発電所を概略的に示す添付の線図を参照しながら、例示によって本発明を説明する。
【００２２】
図面において、参照番号１０は、本発明による原子力発電所を全体的に表す。原子力発電所１０は、全体的に参照番号１２で表す閉ループ主発電システムと、全体的に参照番号１４で表す燃料取り扱い及び貯蔵システムとを備える。
【００２３】
主発電システム１２は、作動流体又は冷却材入口１８及び出口２０と球体入口２２及び球体出口２４とを有する高温ガス冷却式ペブルベッド型原子炉１６を備える。発電所１０はさらに、タービン２６、レキュペレータ２８、前置冷却器３０、低圧コンプレッサ３２、インタークーラ３４、高圧コンプレッサ３６及び発電機３８を備える。発電機３８及びコンプレッサ３２、３６は、タービン２６を駆動接続した共通シャフト４０に取り付けられる。
【００２４】
タービン２６は、入口２６．１及び出口２６．２を有する。入口２６．１は、出口２０と流体連通状態にある。
【００２５】
レキュペレータ２８は、高温又は低圧側４２及び低温又は高圧側４４を有する。低圧側４２は、入口４２．１及び出口４２．２を有する。入口４２．１は、出口２６．２と流体連通状態に接続される。
【００２６】
前置クーラ３０は、入口３０．１及び出口３０．２を有する。出口４２．２は、入口３０．１と流体連通状態にある。
【００２７】
低圧コンプレッサ３２は、入口３２．１及び出口３２．２を有する。出口３０．２は、入口３２．１と流体連通状態にある。
【００２８】
インタークーラ３４は、入口３４．１及び出口３４．２を有する。出口３２．２は、入口３４．１と流体連通状態にある。
【００２９】
高圧コンプレッサ３６は、入口３６．１及び出口３６．２を有する。インタークーラ３４の出口３４．２は、入口３６．１と流体連通状態にある。
【００３０】
レキュペレータ２８の高圧側４４は、入口４４．１及び出口４４．２を有する。高圧コンプレッサ３６の出口３６．２は、レキュペレータの高圧側４４の入口４４．１に接続される。レキュペレータ４４の高圧側の出口４４．２は、入口１８に接続される。
【００３１】
燃料取り扱い及び貯蔵システム１４は、原子炉１６の球体出口２４に接続される入口及び原子炉１６の球体入口２２に接続される出口を有する球体流路５０を画定する球体流路画定手段を備える。本システム１４は、入口５４及び出口５６を有するブロワ５２をさらに備える。出口５６は、参照番号５８で表すガス入口で球体流路５０と流体連通状態に接続される。ブロワ５２の入口５４は、ガス出口６０で球体流路５０と流体連通状態に接続される。熱交換器６２及びフィルタ６４が、ブロワ５２に直列に取り付けられる。
【００３２】
ガス入口５８は、球体出口２４より低い高さに位置付けられる。底部流量制限インデクサ６６が、球体流路５０内の、球体出口２４及びガス入口５８間に設けられる。同様に、上部流量制限インデクサ６８が、球体流路５０内の、ガス出口６０及び球体入口２２間の位置に位置付けられる。
【００３３】
供給管７０が、主発電システム１２の、高圧コンプレッサ３６の出口３６．２及びレキュペレータ２８の高圧側４４の入口４４．１間の位置にある高圧点から延びる。全体的に参照番号７２で表す弁装置が、供給管７０内に設けられる。弁装置７２は、逆止め弁を備える。
【００３４】
使用する際は、一般的にヘリウムである作動流体又は冷却材が、入口１８を通して原子炉１６内へ供給される。加熱された作動流体は、出口２０を通って原子炉から流出してタービン２６を駆動し、タービンは次にコンプレッサ３２、３６及び発電機３８を駆動する。作動流体は、圧縮が行われる低圧コンプレッサ３２に流入する前に、レキュペレータ２８及び前置クーラ３０内で冷却される。作動流体は次に、高圧コンプレッサ３６に流入する前にインタークーラ３４で冷却され、高圧コンプレッサ３６からレキュペレータ２８の低圧側へ送られて、原子炉１６に戻される前に、レキュペレータの低圧側４２を通過するガスによって加熱される。主発電システム１２内で発生する電力の制御は、特に主発電システム１２内の作動流体の質量を制御するヘリウム残留量制御システムを利用して達成される。
【００３５】
燃料取り扱い及び貯蔵システム１４内において、ブロワ５２により、ガス流は、球体流路５０内の、ガス入口５８及びガス出口６０間を流れる。燃料取り扱い及び貯蔵システムは、球体流路５０内の圧力が、球体入口２２及び球体出口２４での圧力より高いように構成される。したがって、球体流路５０から球体入口２２及び球体出口２４を通って原子炉１６内へ漏れるガス流がある。ヘリウムが、燃料取り扱い及び貯蔵システム１４から原子炉１６内へ連続的に失われることは、理解されるであろう。このヘリウム損失は、供給管７０を通って燃料取り扱い及び貯蔵システム１４に流れ込むヘリウムによって補われる。ヘリウムは、主発電システムの最高圧力に対応する位置、すなわち、圧力が球体入口２２及び球体出口２４より高い位置で、また、ヘリウムが比較的低温で、一般的に約１００°Ｃである位置で、主発電システム１２から引き出されることは、理解されるであろう。
【００３６】
球体７４が球体出口２４を通って原子炉１６から出るとき、それらは、球体流路５０から原子炉１６へ向かう漏れ流の方向とは逆に、重力の影響を受けて球体流路５０に沿って下方へ流れる。底部流量制限インデクサ６６は、ヘリウムが原子炉内へ漏れて流れることができるようにすると同時に、球体７４が球体流路５０を逆方向に通って移動できるように構成される。球体７４がガス入口５８に達すると、それらは、球体流路５０の、ガス入口５８及びガス出口６０間の部分を通って流れるガス流に同伴されて、それらと一緒に運ばれる。
【００３７】
１つの可能な球体経路は、球体７４が次に、上部流量制限インデクサ６８及び球体入口２２を通って原子炉内へ送られるものである。
【００３８】
燃料取り扱い及び貯蔵システム１４は一般的に、たとえば、燃料要素の完全性の検査及び損傷燃料要素の除去を行うための仕分け及び管理機能部を組み込むであろう。さらに、燃料取り扱い及び貯蔵システムは一般的に、燃料要素が原子炉をさらに通過するのに適するか否かを決定し、それにより、まだ有効エネルギを発生することができる再利用燃料要素から使用済み燃料要素を分離する手段を組み込むであろう。燃料取り扱い及び貯蔵システムの詳細は、本発明の原理を理解するのに必要ではなく、したがって、詳細には記載しない。
【００３９】
本発明者は、本発明による発電所が、燃料取り扱い及び貯蔵システム１４から原子炉内へのヘリウムの漏れ流が、原子炉から燃料取り扱い及び貯蔵システムへの高温ガスの進入を阻止するという利点を有すると信じる。さらに、底部流量制限インデクサ６６及び上部流量制限インデクサ６８を設けることにより、燃料取り扱い及び貯蔵システムが比較的低温で動作することができ、それにより、燃料取り扱い及び貯蔵システムの部品を高温で動作するように設計する必要がなくなり、相当なコスト削減及び信頼性の向上が得られる。さらに、燃料取り扱い及び貯蔵システム内のヘリウムの圧力は、比較的安定したままである、又はゆっくり変化し、それにより、主発電システム内の圧力変動のために燃料取り扱い及び貯蔵システムの部品が損傷する危険性が低下するであろう。
【００４０】
燃料取り扱い及び貯蔵システム内での圧力変動を減衰させることにより、燃料取り扱い及び貯蔵システムのブロワ５２がキャッチャ軸受と接触する危険性が低下する。さらに、球体流路内での球体速度の過剰な変動が減少し、それにより、燃料要素の損傷が回避される、又は少なくとも制限される。さらに、フィルタ６４のフィルタカートリッジが損傷する危険性が低下する。また、ブロワ５２に対する設計要件がさほど厳しくなくなり、それにより、ブロワ５２に伴うコストが低減される。また、小径チューブ内の弁効果及び衝撃音波を減少又は防止することができる。また、主発電システムから燃料取り扱い及び貯蔵システム内への高温ガスの吸い込みを防止することにより、燃料取り扱い及び貯蔵システムのさまざまな部品を低温用に設計することができ、それにより、それに伴うコストが軽減される。また、主発電システムから比較的低温の補充ガスの比較的少量を受け取ることにより、燃料取り扱い及び貯蔵システム内の放射性核種のプレートアウトを減少させることができる。
【図面の簡単な説明】
【００４１】
【図１】本発明による原子力発電所を概略的に示す線図である。
【図１】
2009526218.tif 000003
【国際調査報告】
2009526218.tif 000004
2009526218.tif 000005
2009526218.tif 000006
2009526218.tif 000007